(57)【要約】      （修正有）【課題】物品から取れるのを防止する装飾具を提供する。【解決手段】物品に取り付けられる装飾具１０は、装飾的な形状を有する装飾部材１２と、装飾部材１２に固定され、前記物品に巻かれる帯状部材１４とを含み、帯状部材１４は、その一端部に設けられた孔１８と、帯状部材１４の少なくとも一方の側部２０に互いに隣接して形成され、それぞれが側部２０から帯状部材１４の幅方向へ突出する複数の歯２２とを有し、歯２２は、帯状部材１４の他端部が孔１８に通されるとき、孔１８と係合する。【選択図】図３
0003145891.tif 000002
【実用新案登録請求の範囲】
【請求項１】
物品に取り付けられる装飾具であって、
装飾的な形状を有する装飾部材と、
前記装飾部材に固定され、前記物品に巻かれる帯状部材とを含み、
前記帯状部材は、該帯状部材の一端部に設けられた孔と、前記帯状部材の少なくとも一方の側部に互いに隣接して形成され、それぞれが該側部から前記帯状部材の幅方向へ突出する複数の歯とを有し、
前記歯は、前記帯状部材の他端部が前記孔に通されるとき、前記孔と係合する、装飾具。
【請求項２】
前記装飾部材は、リボン状のシート片により形成された結び目からなる、請求項１に記載の装飾具。
【請求項３】
前記帯状部材は、互いに平行でありかつ接着された２枚のシート片からなる、請求項１に記載の装飾具。
【請求項４】
前記シート片は、互いに接着された２枚の合成繊維シートをレーザー光線により切断することによって形成されている、請求項３に記載の装飾具。
【請求項５】
物品に取り付けられる装飾具であって、
装飾的な形状を有する装飾部分と、
前記装飾部分に一体に形成され、前記物品に巻かれる帯状部分とを含み、
前記帯状部分は、該帯状部分の一端部に設けられた孔と、前記帯状部分の少なくとも一方の側部に互いに隣接して形成され、それぞれが該側部から前記帯状部分の幅方向へ突出する複数の歯とを有し、
前記歯は、前記帯状部分の他端部が前記孔に通されるとき、前記孔と係合する、装飾具。
【請求項６】
前記装飾部分は、リボン状の第１部分及び該第１部分に形成された帯状の第２部分からなる第１シート片における前記第１部分により形成された結び目からなり、
前記帯状部分は、前記第１シート片の前記第２部分と、該第２部分に接着された、前記第２部分に平行な第２シート片とからなる、請求項５に記載の装飾具。
【請求項７】
前記第１シート片の前記第１部分は、第１合成繊維シート及び該第１合成繊維シートの一部に接着された第２合成繊維シートにおける前記第１合成繊維シートの他の一部をレーザー光線により切断することによって形成されており、
前記第１シート片の前記第２部分及び前記第２シート片は、前記第１合成繊維シートの前記一部及びこれに接着された前記第２合成繊維シートをレーザー光線により切断することによって形成されている、請求項６に記載の装飾具。
【考案の詳細な説明】
【技術分野】
【０００１】
本考案は、商品又は商品を収容する袋、箱、瓶等のような物品に取り付けられる装飾具に関する。
【背景技術】
【０００２】
前記物品を装飾するため、該物品に装飾具が取り付けられる。従来の装飾具には、リボンにより形成された結び目からなる装飾部材と、該装飾部材に取り付けられた環状部材とを有するものがある（特許文献１参照）。前記環状部材は、一端部が前記結び目に固定され、他端部が前記結び目に通された帯状体からなる。前記装飾具を前記物品に取り付けるとき、前記環状部材を前記物品に掛け、前記環状部材により前記物品が締め付けられるように前記帯状体の前記他端部を引く。
【特許文献１】実用新案登録第３１４１９６７号公報
【考案の開示】
【考案が解決しようとする課題】
【０００３】
しかし、前記物品を取り扱っているときに前記装飾具に加えられる振動や力により、前記環状部材が緩み、前記帯状体の前記他端部が前記結び目から抜けることがある。このため、前記装飾具は前記物品から取れる恐れがある。
【０００４】
本考案の目的は、装飾具が物品から取れるのを防止することである。
【課題を解決するための手段】
【０００５】
本考案は、物品に取り付けられる装飾具が、装飾部材と、該装飾部材に固定された帯状部材とを含み、該帯状部材は、その一端部に設けられた孔と、前記帯状部分の側部に互いに隣接して形成された複数の歯とを有し、前記装飾具を前記物品に取り付けるとき、前記帯状部材を前記物品に巻き、前記帯状部材の他端部を前記孔に通し、前記歯を前記孔と係合させる。これにより、前記帯状部材の前記他端部が前記孔から抜けにくくなるようにし、前記装飾具が前記物品から取れるのを防止する。
【０００６】
本考案に係る、物品に取り付けられる装飾具は、装飾的な形状を有する装飾部材と、該装飾部材に固定され、前記物品に巻かれる帯状部材とを含み、前記帯状部材は、該帯状部材の一端部に設けられた孔と、前記帯状部材の少なくとも一方の側部に互いに隣接して形成され、それぞれが該側部から前記帯状部材の幅方向へ突出する複数の歯とを有し、該歯は、前記帯状部材の他端部が前記孔に通されるとき、前記孔と係合する。
【０００７】
前記装飾具を前記物品に取り付けるとき、前記帯状部材を前記物品に巻き、前記帯状部材の前記他端部を前記孔に通し、前記歯を前記孔と係合させる。前記歯を前記孔と係合させるため、前記帯状部材の前記他端部が前記孔から抜けることはなく、前記装飾具が前記物品から取れるのを防止することができる。
【０００８】
前記装飾部材は、リボン状のシート片により形成された結び目からなる。前記装飾部材は、１枚のシート片により作られているため、比較的柔らかく、前記結び目の形成が容易である。前記帯状部材は、互いに平行でありかつ接着された２枚のシート片からなる。前記帯状部材は、２枚のシート片からなるため、比較的硬く、前記孔を規定する部分及び前記歯が比較的強固である。このため、前記帯状部材に力が加えられても前記歯の前記孔との係合が解かれにくく、前記帯状部材の前記他端部が前記孔から抜けるのを確実に防止することができる。
【０００９】
前記帯状部材の前記シート片は、互いに接着された２枚の合成繊維シートをレーザー光線により切断することによって形成されている。前記帯状部材が、前記合成繊維シートをレーザー光線により切断することによって形成されているため、前記帯状部材の周縁部が前記レーザー光線の熱により溶融され、硬化している。このため、前記孔を規定する部分及び前記歯をより強固にすることができ、前記歯の前記孔との係合をより解かれにくくすることができ、前記帯状部材の前記他端部が前記孔から抜けるのをより確実に防止することができる。
【００１０】
本考案に係る、物品に取り付けられる他の装飾具は、装飾的な形状を有する装飾部分と、該装飾部分に一体に形成され、前記物品に巻かれる帯状部分とを含み、前記帯状部分は、該帯状部分の一端部に設けられた孔と、前記帯状部分の少なくとも一方の側部に互いに隣接して形成され、それぞれが該側部から前記帯状部分の幅方向へ突出する複数の歯とを有し、該歯は、前記帯状部分の他端部が前記孔に通されるとき、前記孔と係合する。
【００１１】
前記装飾具を前記物品に取り付けるとき、前記帯状部分を前記物品に巻き、前記帯状部分の前記他端部を前記孔に通し、前記歯を前記孔と係合させる。前記歯を前記孔と係合させるため、前記帯状部分の前記他端部が前記孔から抜けることはなく、前記装飾具が前記物品から取れるのを防止することができる。
【００１２】
前記帯状部分が前記装飾部分に一体に形成されているため、前記帯状部材が前記装飾部材に固定されている場合のように前記帯状部材を前記装飾部材に固定する手間を要することなく、前記装飾具を効率的に製作することができる。
【００１３】
前記装飾部分は、リボン状の第１部分及び該第１部分に形成された帯状の第２部分からなる第１シート片における前記第１部分により形成された結び目からなり、前記帯状部分は、前記第１シート片の前記第２部分と、該第２部分に接着された、前記第２部分に平行な第２シート片とからなる。
【００１４】
前記装飾部分が前記第１シート片の前記第１部分により作られている、すなわち一重のシート片により作られているため、前記装飾部分は比較的柔らかく、前記結び目の形成が容易である。しかも、前記帯状部分が前記第１シート片の前記第２部分及び前記第２シート片からなる、すなわち二重のシート片からなるため、前記孔を規定する部分及び前記歯は比較的強固であり、前記帯状部分に力が加えられても前記歯の前記孔との係合が解かれにくく、前記帯状部分の前記他端部が前記孔から抜けにくい。このため、前記結び目の形成時の作業性を低下させることなく前記帯状部分の前記他端部が前記孔から抜けるのを確実に防止することができる。
【００１５】
前記第１シート片の前記第１部分は、第１合成繊維シート及び該第１合成繊維シートの一部に接着された第２合成繊維シートにおける前記第１合成繊維シートの他の一部をレーザー光線により切断することによって形成されており、前記第１シート片の前記第２部分及び前記第２シート片は、前記第１合成繊維シートの前記一部及びこれに接着された前記第２合成繊維シートをレーザー光線により切断することによって形成されている。
【００１６】
前記帯状部分が、前記第１合成繊維シート及び前記第２合成繊維シートをレーザー光線により切断することによって形成されているため、前記帯状部分の周縁部が前記レーザー光線の熱により溶融され、硬化している。このため、前記孔を規定する部分及び前記歯をより強固にすることができ、前記歯の前記孔との係合をより解かれにくくすることができ、前記帯状部分の前記他端部が前記孔から抜けるのをより確実に防止することができる。
【考案の効果】
【００１７】
本考案によれば、前記装飾具を前記物品に取り付けるとき、前記帯状部材（又は前記帯状部分）を前記物品に巻き、前記帯状部材（又は前記帯状部分）の前記他端部を前記孔に通し、前記歯を前記孔と係合させる。これにより、前記他端部が前記孔から抜けにくくなるようにすることができ、前記装飾具が前記物品から取れるのを防止することができる。
【考案を実施するための最良の形態】
【００１８】
図１、２に示すように、商品又は商品を収容する袋、箱、瓶等のような物品（図示せず）を装飾するため、装飾具１０が用いられる。装飾具１０は、装飾的な形状を有する装飾部材１２と、該装飾部材に固定された帯状部材１４とを含む。
【００１９】
装飾部材１２は、リボン状のシート片により形成された結び目からなる。前記シート片の結び方は、図１に示した例では、蝶結びであるが、これに代え、他の結び方でもよい。前記シート片は、図１に示した例では、帯状部材１４に結び付けられているが、これに代え、帯状部材１４に接着されていてもよい。
【００２０】
帯状部材１４は、該帯状部材の一端部１６に設けられた孔１８と、帯状部材１４の各側部２０に互いに隣接して形成された複数の歯２２とを有する。帯状部材１４は前記物品に巻かれ、孔１８に帯状部材１４の他端部２４が通される。孔１８の平面形状は線状であり、孔１８の長さ寸法２６は帯状部材１４の他端部２４の幅寸法２８とほぼ等しい。
【００２１】
各歯２２は側部２０から帯状部材１４の幅方向へ突出している。各歯２２は、該歯の側部２０からの突出寸法が帯状部材１４の他端部２４から一端部１６に向けて漸増するように帯状部材１４の長さ方向に対して傾斜する第１縁部２２ａと、帯状部材１４の幅方向に伸びる第２縁部２２ｂとを有する。図３に示すように、歯２２は、帯状部材１４の他端部２４が孔１８に通されるとき、孔１８と係合する。
【００２２】
歯２２は、帯状部材１４の各側部２０に形成されている図１に示した例に代え、いずれか一方の側部２０に形成されていてもよい。また、歯２２は、図１に示した例では、帯状部材１４の長さ方向において帯状部材１４の一部に存在しているが、これに代え、帯状部材１４の全部に存在していてもよい。
【００２３】
図４、５に示すように、リボン状のシート片３０により形成された前記結び目からなる装飾部材１２と、帯状部材１４とは別個の部材である。帯状部材１４は、互いに平行でありかつ接着された２枚のシート片３２からなる。シート片３２は、互いに接着された２枚の合成繊維シート（図示せず）をレーザー光線により切断することによって形成されている。各シート片３０、３２は、ポリエステル繊維からなるが、これに代え、他の合成繊維からなるものでもよい。また、各シート片３０、３２は、合成繊維からなる上記の例に代え、紙、フィルム、不織布、天然繊維等からなるものでもよい。
【００２４】
図６に示すように、装飾具１０を物品３４に取り付けるとき、帯状部材１４を物品３４に巻き、帯状部材１４の他端部２４を孔１８に通し、歯２２を孔１８と係合させる。図６に示した例では、物品３４はワインボトルのような瓶である。歯２２を孔１８と係合させるため、物品３４の取扱い時に装飾具１０に加えられる振動や力により帯状部材１４の他端部２４が孔１８から抜けることはなく、装飾具１０が物品３４から取れることはない。
【００２５】
各歯２２が、前記突出寸法が帯状部材１４の他端部２４から一端部１６に向けて漸増するように帯状部材１４の長さ方向に対して傾斜する第１縁部２２ａと、帯状部材１４の幅方向に伸びる第２縁部２２ｂとを有するため、歯２２は、帯状部材１４の他端部２４を孔１８に通すのを妨げることはなく、かつ、帯状部材１４の他端部２４が孔１８から抜けるのを阻止する。
【００２６】
装飾部材１２が１枚のシート片３０により作られているため、装飾部材１２は比較的柔らかく、前記結び目の形成が容易である。また、帯状部材１４が２枚のシート片３２からなるため、帯状部材１４における孔１８を規定する部分及び歯２２は比較的強固であり、帯状部材１４に力が加えられても歯２２の孔１８との係合は解かれにくく、帯状部材１４の他端部２４が孔１８から抜けるのを確実に防止することができる。
【００２７】
帯状部材１４が、前記合成繊維シートをレーザー光線により切断することによって形成されているため、帯状部材１４の周縁部が前記レーザー光線の熱により溶融され、硬化している。このため、孔１８を規定する部分及び歯２２をより強固にすることができ、歯２２の孔１８との係合をより解かれにくくすることができ、帯状部材１４の他端部２４が孔１８から抜けるのをより確実に防止することができる。
【００２８】
前記結び目が予め形成されているため、物品３４の装飾時に前記結び目を形成する必要がない。このため、前記結び目の形成に手間や時間を要することなく物品３４を効率的に装飾することができる。装飾部材１２は、前記結び目からなる図１に示した例に代え、星形、円形、多角形、動植物の形状、漫画のキャラクターの形状等を有するシート片（図示せず）又はプレート（図示せず）からなるものでもよい。
【００２９】
装飾具１０を物品３４から取り外すとき、帯状部材１４に力を加えて該帯状部材の他端部２４を孔１８から抜き出す。このとき、歯２２の孔１８との係合は解かれる。装飾具１０を物品３４から取り外した後、装飾具１０を他の物品（図示せず）に取り付けてもよい。
【００３０】
装飾部材１２及び帯状部材１４が別個の部材からなる上記の例に代え、装飾部分１２に帯状部分１４が一体に形成されていてもよい。この場合においても、装飾部材１２及び帯状部材１４が別個の部材からなる場合と同様に、装飾部分１２は装飾的な形状を有し、帯状部分１４は、該帯状部分の一端部１６に設けられた孔１８と、帯状部分１４の少なくとも一方の側部２０に互いに隣接して形成され、それぞれが側部２０から帯状部分１４の幅方向へ突出する複数の歯２２とを有する。
【００３１】
図７、８に示す例では、装飾具１０は、リボン状の第１部分３６及び該第１部分に形成された帯状の第２部分３８からなる第１シート片４０と、該第１シート片の第２部分３８に接着された、該第２部分に平行な第２シート片４２とにより作られている。装飾部分１２は、第１シート片４０の第１部分３６により形成された結び目からなり、帯状部分１４は第１シート片４０の第２部分３８及び第２シート片４２からなる。
【００３２】
第１シート片４０の第１部分３６は、第１合成繊維シート（図示せず）及び該第１合成繊維シートの一部に接着された第２合成繊維シート（図示せず）における前記第１合成繊維シートの他の一部をレーザー光線により切断することによって形成されており、第１シート片４０の第２部分３８及び第２シート片４２は、前記第１合成繊維シートの前記一部及びこれに接着された前記第２合成繊維シートをレーザー光線により切断することによって形成されている。第１シート片４０及び第２シート片４２のそれぞれは、ポリエステル繊維からなるが、これに代え、他の合成繊維からなるものでもよい。また、第１シート片４０及び第２シート片４２のそれぞれは、合成繊維からなる上記の例に代え、紙、フィルム、不織布、天然繊維等からなるものでもよい。
【００３３】
装飾具１０を物品に取り付けるとき、帯状部分１４を前記物品に巻き、帯状部分１４の他端部２４を孔１８に通し、歯２２を孔１８と係合させる。歯２２を孔１８と係合させるため、帯状部分１４の他端部２４が孔１８から抜けにくく、装飾具１０が前記物品から取れるのを防止することができる。
【００３４】
装飾部分１２が一重のシート片により作られているため、装飾部分１２は比較的柔らかく、前記結び目の形成が容易である。しかも、帯状部分１４が二重のシート片からなるため、孔１８を規定する部分及び歯２２は比較的強固であり、帯状部分１４に力が加えられても歯２２の孔１８との係合が解かれにくく、帯状部分１４の他端部２４が孔１８から抜けにくい。このため、前記結び目の形成時の作業性を低下させることなく帯状部分１４の他端部２４が孔１８から抜けるのを確実に防止することができる。
【００３５】
帯状部分１４が、前記第１合成繊維シート及び前記第２合成繊維シートをレーザー光線により切断することによって形成されているため、帯状部分１４の周縁部が前記レーザー光線の熱により溶融され、硬化している。このため、孔１８を規定する部分及び歯２２をより強固にすることができ、歯２２の孔１８との係合をより解かれにくくすることができ、帯状部分１４の他端部２４が孔１８から抜けるのをより確実に防止することができる。
【００３６】
装飾部分１２に帯状部分１４が一体に形成されているため、装飾部材１２及び帯状部材１４が別個の部材からなる場合のように装飾部材１２に帯状部材１４を固定する手間を要することはなく、装飾具１０を効率的に製作することができる。
【００３７】
図９に示す例では、装飾部分１２は、前記結び目からなる図７に示した例に代え、ハート形の平面形状を有する。装飾部分１２に商品名や店名が表示されていてもよいし、装飾部分１２に装飾的な図形や模様が施されていてもよい。装飾部分１２の平面形状は、ハート形である図９に示した例に代え、星形、円形、多角形、動植物の形状、漫画のキャラクターの形状等でもよい。装飾具１０は、互いに平行でありかつ接着された２枚のシート片からなる。前記シート片は、互いに接着された２枚の合成繊維シート（図示せず）をレーザー光線により切断することによって形成されている。この場合においても、装飾部分１２に帯状部分１４が一体に形成されているため、装飾部材１２及び帯状部材１４が別個の部材からなる場合のように装飾部材１２に帯状部材１４を固定する手間を要することはなく、装飾具１０を効率的に製作することができる。
【図面の簡単な説明】
【００３８】
【図１】本考案の第１実施例に係る装飾具の正面図。
【図２】本考案の第１実施例に係る装飾具の背面図。
【図３】帯状部材の他端部を孔に通したときの装飾具の斜視図。
【図４】本考案の第１実施例に係る装飾具の材料となるシート片の平面図。
【図５】図４の線５における装飾具の断面図。
【図６】物品に取り付けられた装飾具の斜視図。
【図７】本考案の第２実施例に係る装飾具の材料となる第１シート片及び第２シート片の平面図。
【図８】図７の線８における装飾具の断面図。
【図９】本考案の第３実施例に係る装飾具の正面図。
【符号の説明】
【００３９】
１０    装飾具
１２    装飾部材（装飾部分）
１４    帯状部材（帯状部分）
１６    一端部
１８    孔
２０    側部
２２    歯
２４    他端部
３０、３２    シート片
３４    物品
３６    第１部分
３８    第２部分
４０    第１シート片
４２    第２シート片
【図１】
0003145891.tif 000003
【図２】
0003145891.tif 000004
【図３】
0003145891.tif 000005
【図４】
0003145891.tif 000006
【図５】
0003145891.tif 000007
【図６】
0003145891.tif 000008
【図７】
0003145891.tif 000009
【図８】
0003145891.tif 000010
【図９】
0003145891.tif 000011